(57)【要約】【課題】  組立作業性が良いケース、その製造方法およびそれらを備えた時計を提供する。【解決手段】  外周面に装着溝１３が設けられたケース本体１０と、このケース本体１０の上部側外周に装着溝１３の下部側を露出させた状態で配置され、かつ装着溝１３の上部側に対応する嵌合凹部１４が設けられた外装ケース１１と、この外装ケース１１の外部に露出した装着溝１３の下部側から装着溝１３内に挿入されて、装着溝１３および外装ケース１１の嵌合凹部１４に配置される結合部材１２と、を備えている。従って、ケース本体１０の上部側外周に外装ケース１１を配置させた状態で、外装ケース１１の下側外部に露出した装着溝１３の下部側から結合部材１２を装着溝１３および嵌合凹部１４に挿入させることができるので、組立作業性が良い。【選択図】        図２
2020159697.tif 000002
【特許請求の範囲】
【請求項１】
外周面に溝部が設けられたケース本体と、
前記ケース本体の上部側外周に前記溝部の下部側を露出させた状態で配置され、かつ前記溝部の上部側に対応して嵌合凹部が設けられた外装部材と、
前記外装部材の外部に露出した前記溝部の下部側から前記溝部内に挿入されて、前記溝部および前記外装部材の前記嵌合凹部に配置されることにより、前記ケース本体に前記外装部材を固定する結合部材と、
を備えていることを特徴とするケース。
【請求項２】
請求項１に記載のケースにおいて、前記結合部材は、前記ケース本体の上部側外周に前記外装部材が配置された状態で、前記外装部材の外部に露出した前記溝部の下部側から前記溝部内に挿入されて配置される本体部と、前記本体部が前記溝部内に配置された際に、前記外装部材の前記嵌合凹部に嵌合するフック部と、を備えていることを特徴とするケース。
【請求項３】
請求項２に記載のケースにおいて、前記結合部材は、前記外装部材の外部に露出した前記溝部の下部側から前記フック部が前記溝部に挿入されて前記外装部材の前記嵌合凹部に対応した状態で、前記本体部が前記溝部に挿入されて配置される際に、前記本体部が前記フック部側の端部を中心に回転しながら前記ケース本体の前記溝部内に挿入されて配置されると共に前記フック部が前記嵌合凹部に嵌合されることを特徴とするケース。
【請求項４】
請求項２または請求項３に記載のケースにおいて、前記結合部材は、前記本体部と前記フック部との境界部における角部が円弧面に形成されていることを特徴とするケース。
【請求項５】
請求項１〜請求項４のいずれかに記載のケースにおいて、前記ケース本体の前記溝部に配置されて前記外装部材の外部に露出した前記結合部材の前記本体部を前記溝部内に押え付ける押え部材を備えていることを特徴とするケース。
【請求項６】
請求項５に記載のケースにおいて、前記ケース本体の下部に取り付けられて前記押え部材を前記外装部材の下端部に押し付けて固定する裏蓋を備えていることを特徴とするケース。
【請求項７】
外周面に溝部が設けられたケース本体の上部側外周に、前記溝部の下部側を露出させて外装部材を被せて配置させると共に、前記外装部材の内周面に設けられた嵌合凹部を前記溝部の上部側に対応させる第１の工程と、
前記外装部材の外部に露出した前記溝部の下部側から結合部材を前記溝部および前記外装部材の前記嵌合凹部に挿入させて、前記ケース本体に前記外装部材を固定させる第２の工程と、
を備えていることを特徴とするケースの製造方法。
【請求項８】
請求項７に記載のケースの製造方法において、前記第２の工程では、前記外装部材の外部に露出した前記溝部の下部側から前記結合部材のフック部を前記溝部内に挿入させて前記外装部材の前記嵌合凹部に対応させ、この状態で前記結合部材の本体部を前記溝部内に向けて回転させながら、前記フック部を前記嵌合凹部内に嵌め込んで前記本体部を前記溝部内に配置させることを特徴とするケースの製造方法。
【請求項９】
請求項７または請求項８に記載のケースの製造方法において、前記ケース本体の前記溝部に配置されて前記外装部材の外部に露出する前記結合部材の前記本体部を前記溝部内に押え部材によって押し付けた後、前記ケース本体の下部に裏蓋を取り付けて前記押え部材を前記裏蓋によって前記外装部材の下端部に押し付けて固定する第３の工程を備えていることを特徴とするケースの製造方法。
【請求項１０】
請求項１〜請求項６のいずれかに記載されたケースを備えていることを特徴とする時計。
【発明の詳細な説明】
【技術分野】
【０００１】
この発明は、腕時計などの時計に用いられるケース、そのケースの製造方法およびそのケースを備えた時計に関する。
【背景技術】
【０００２】
例えば、腕時計においては、特許文献１に記載されているように、ケース本体の外周に合成樹脂によって形成されたリング状の結合部材を取り付け、この結合部材によってケースの外周に外装ケースを取り付けることにより、腕時計ケースを構成したものが知られている。
【先行技術文献】
【特許文献】
【０００３】
【特許文献１】特開平０７−２４４１７０号公報
【０００４】
この種の腕時計ケースは、ケース本体の外周に設けられた環状の第１係合溝に、結合部材の内周面に設けられた内側突起部を係合させて、ケース本体の外周に結合部材を取り付け、この結合部材の外周面に設けられた外側突起部を、外装ケースの内周面に設けられた第２係合溝に係合させて、結合部材に外装ケースを取り付けることにより、結合部材によってケース本体の外周に外装ケースを取り付けるように構成されている。
【発明の概要】
【発明が解決しようとする課題】
【０００５】
しかしながら、このような腕時計ケースでは、ケース本体の外周に合成樹脂製の結合部材を上方から嵌め込んで取り付ける際に、ケース本体の第１係合溝に結合部材の内側突起部を係合させ、この状態で外装ケースをケース本体の上方から結合部材の外周に嵌め込んで取り付ける際に、外装ケースの第２係合溝に結合部材の外側突起部を係合させる必要があるため、組立作業が煩雑で面倒である。
【０００６】
この発明が解決しようとする課題は、組立作業性が良いケース、そのケースの製造方法およびそのケースを備えた時計を提供することである。
【課題を解決するための手段】
【０００７】
この発明は、外周面に溝部が設けられたケース本体と、前記ケース本体の上部側外周に前記溝部の下部側を露出させた状態で配置され、かつ前記溝部の上部側に対応して嵌合凹部が設けられた外装部材と、前記外装部材の外部に露出した前記溝部の下部側から前記溝部内に挿入されて、前記溝部および前記外装部材の前記嵌合凹部に配置されることにより、前記ケース本体に前記外装部材を固定する結合部材と、を備えていることを特徴とするケースである。
【０００８】
また、この発明は、外周面に溝部が設けられたケース本体の上部側外周に、前記溝部の下部側を露出させて外装部材を被せて配置させると共に、前記外装部材の内周面に設けられた嵌合凹部を前記溝部の上部側に対応させる第１の工程と、前記外装部材の外部に露出した前記溝部の下部側から結合部材を前記溝部および前記外装部材の嵌合凹部に挿入させて、前記ケース本体に前記外装部材を固定させる第２の工程と、を備えていることを特徴とするケースの製造方法である。
【発明の効果】
【０００９】
この発明によれば、組立作業性を向上させることができると共に、ケース本体に対して外装部材を確実にかつ強固に取り付けることができる。
【図面の簡単な説明】
【００１０】
【図１】この発明を腕時計に適用した一実施形態を示した拡大斜視図である。
【図２】図１に示された腕時計のＡ−Ａ矢視における要部の拡大断面図である。
【図３】図２に示された腕時計ケースを分解して示した要部の拡大断面図である。
【図４】図１に示された腕時計ケースのケース本体を裏面側から見た拡大斜視図である。
【図５】図１に示された腕時計ケースの外装ケースを示し、（ａ）はその拡大正面図、（ｂ）はそれを斜め下側から見た拡大斜視図、（ｃ）は（ａ）のＢ−Ｂ矢視における要部の拡大断面図である。
【図６】図２に示された腕時計ケースの結合部材を示し、（ａ）はその拡大正面図、（ｂ）はその拡大側面図である。
【図７】図２に示された腕時計ケースの押え部材を示し、（ａ）はそれを外部側から見た拡大斜視図、（ｂ）はそれを内部側から見た拡大斜視図である。
【発明を実施するための形態】
【００１１】
以下、図１〜図７を参照して、この発明を腕時計に適用した一実施形態について説明する。なお、時計の表示面側を上、表示面の反対側を下として説明する。
この腕時計は、図１に示すように、腕時計ケース１を備えている。この腕時計ケース１の１２時側と６時側との各側部には、バンド取付部２がそれぞれ設けられている。また、この腕時計ケース１の３時側と４時側とには、それぞれ押釦スイッチ３が設けられている。
【００１２】
この腕時計ケース１の上部開口部には、図１および図２に示すように、時計ガラス４が接着剤４ａによって取り付けられている。また、この腕時計ケース１の下部には、裏蓋５が防水リング５ａを介してビス５ｂによって取り付けられている。さらに、この腕時計ケース１の内部には、時計モジュール６が設けられている。
【００１３】
本実施形態の場合、時計モジュール６の上部には、図２に示すように、文字板７が設けられており、この文字板７上の外周部には、見切り部材８が配置されている。時計モジュール６は、指針９を文字板７の上方で運針させる時計ムーブメント、時刻などの情報を電気光学的に表示する表示パネル、これらを電気的に駆動する回路部などの時計機能に必要な各種の部品（いずれも図示せず）を備えている。
【００１４】
ところで、この腕時計ケース１は、図１および図２に示すように、ケース本体１０と外装ケース１１とを備えている。ケース本体１０は、硬質の合成樹脂、例えばポリアミド樹脂にガラス繊維またはカーボン繊維を混入させた剛性の高い硬質の合成樹脂によって形成されている。このケース本体１０の１２時側と６時側とには、上述したバンド取付部２の一対の取付突起部２ａがそれぞれ設けられている。
【００１５】
また、このケース本体１０の内周面における上部には、図２に示すように、時計ガラス４の外周部が配置される切欠き部１０ａが環状に設けられている。これにより、時計ガラス４は、ケース本体１０の切欠き部１０ａに配置する際に、切欠き部１０ａの内周面と平面とに接着剤４ａを塗布し、この接着剤４ａによって時計ガラス４の外周部における外周面と下面とが切欠き部１０ａに接着されるように構成されている。
【００１６】
外装ケース１１は、図１および図２に示すように、ケース本体１０の上部側外周にこれを覆って取り付けられるように構成されている。すなわち、この外装ケース１１は、ステンレスなどの剛性の高い金属で形成されている。この外装ケース１１は、ケース本体１０の上面および時計ガラス４の外周部の縁部における上面を覆うと共に、ケース本体１０の外周面における上部側を覆うように形成されている。
【００１７】
本実施形態の場合、外装ケース１１の１２時側と６時側とには、図１〜図３および図５に示すように、ケース本体１０の一対の取付突起部２ａの上部を覆うバンド取付部２の一対のカバー突起部２ｂがそれぞれ設けられている。これにより、バンド取付部２は、ケース本体１０の一対の取付突起部２ａと、これら一対の取付突起部２ａの上部を覆う外装ケース１１の一対のカバー突起部２ｂとによって構成されている。
【００１８】
この腕時計ケース１は、図２および図３に示すように、ケース本体１０と外装ケース１１とが結合部材１２によって固定されている。この場合、ケース本体１０の１２時側と６時側との外周面、つまりバンド取付部２における一対の取付突起部２ａの間に位置するケース本体１０の外周面には、結合部材１２の後述する本体部１５が配置される装着溝１３がそれぞれ上下方向に設けられている。
【００１９】
この装着溝１３は、図２〜図４に示すように、ほぼ四角形状の凹部であり、ケース本体１０の外周面において、外装ケース１１で覆われる箇所、つまりバンド取付部２よりも上側に位置する箇所から外装ケース１１で覆われない箇所、つまりバンド取付部２の上下方向におけるほぼ中間部に位置する箇所に亘って設けられている。すなわち、この装着溝１３は、ケース本体１０の上部側外周に外装ケース１１を被せたときに、装着溝１３の上部側が外装ケース１１の下部側で覆われ、装着溝１３の下部側が外装ケース１１で覆われずに外部に露出するように形成されている。
【００２０】
一方、外装ケース１１の１２時側と６時側との内周面、つまりバンド取付部２における一対のカバー突起部２ｂの間に位置する外装ケース１１の内周面には、図２、図３および図５に示すように、結合部材１２の後述するフック部１６が嵌合する嵌合凹部１４がそれぞれ装着溝１３の上部側、つまりバンド取付部２よりも上側に位置して外装ケース１１で覆われる箇所に対応して設けられている。
【００２１】
すなわち、この嵌合凹部１４は、図２、図３および図５に示すように、装着溝１３よりも上下方向の長さが短いほぼ長方形状に形成され、外装ケース１１がケース本体１０の上部側外周に配置された際に、外装ケース１１の下部側で覆われた装着溝１３の上部側に対応して設けられている。
【００２２】
ところで、結合部材１２は、硬質の合成樹脂、例えばポリアミド樹脂にガラス繊維またはカーボン繊維を混入させた剛性の高い硬質の合成樹脂によって形成されている。この結合部材１２は、図２、図３および図６に示すように、ケース本体１０の上部側外周にこれを覆って外装ケース１１が配置された状態で、ケース本体１０の装着溝１３に配置される本体部１５と、外装ケース１１の嵌合凹部１４に嵌合するフック部１６と、を備えている。
【００２３】
本体部１５は、図２、図３および図６に示すように、ケース本体１０の装着溝１３とほぼ同じ大きさの板状に形成され、ケース本体１０の上部側外周にこれを覆って外装ケース１１が配置された状態で、外装ケース１１の下側に露出した装着溝１３の下部側から装着溝１３内に挿入されて配置されるように構成されている。
【００２４】
フック部１６は、図２、図３および図６に示すように、本体部１５の上端部からケース本体１０の外部に向けてほぼ直角に折り曲げられ、ケース本体１０の上部側外周にこれを覆って外装ケース１１が配置された状態で、外装ケース１１の嵌合凹部１４に挿入されて嵌合するように構成されている。
【００２５】
この場合、本体部１５とフック部１６との境界部における角部、つまり結合部材１２のうち、結合部材１２を装着溝１３に挿入させたときに、装着溝１３の上部側に位置する部分は、図２、図３および図６に示すように、円弧面１２ａに形成されている。これに伴って、ケース本体１０の装着溝１３における底部から外装ケース１１に向かう上端部の角部は、結合部材１２の円弧面１２ａと同じ曲率半径の円弧面１３ａに形成されている。また、本体部１５とフック部１６との境界部におけるケース本体１０の外部側の角部は、傾斜面１２ｂに形成されている。
【００２６】
これにより、結合部材１２は、図２および図３に示すように、外装ケース１１の外部に露出したケース本体１０の装着溝１３の下部側からフック部１６が装着溝１３に挿入されて外装ケース１１の嵌合凹部１４に収まるように構成されている。また、この結合部材１２は、フック部１６の先端部分が装着溝１３のうち、外装ケース１１の下部側で覆われた部分に入り込むように装着溝１３に挿入し、本体部１５とフック部１６との境界部に設けられた円弧面１２ａが装着溝１３の円弧面１３ａに沿って摺動しながら、本体部１５がその円弧面１２ａを支点として装着溝１３内に向けて回転するように構成されている。
【００２７】
このため、この結合部材１２は、図２および図３に示すように、本体部１５とフック部１６との境界部に設けられた円弧面１２ａが装着溝１３の円弧面１３ａに沿って摺動しながら本体部１５がその円弧面１２ａを支点として回転すると、フック部１６が嵌合凹部１４に徐々に挿入しながら、本体部１５が装着溝１３内に挿入されて配置されると共に、フック部１６が嵌合凹部１４に嵌合するように構成されている。
【００２８】
これにより、結合部材１２は、図２および図３に示すように、本体部１５が装着溝１３内に挿入されて配置されると共に、フック部１６が嵌合凹部１４に嵌合した際に、外装ケース１１をケース本体１０の外周に固定するように構成されている。本実施形態において、腕時計ケース１は、外装ケース１１がケース本体１０の上部側外周を覆って配置されるように構成されている。
【００２９】
また、この結合部材１２は、図２、図３および図７に示すように、ケース本体１０の装着溝１３内に配置されて外装ケース１１の外部に露出した本体部１５の下部側が押え部材１７によって装着溝１３内に押え付けられている。この押え部材１７は、ケース本体１０と同じ硬質の合成樹脂、例えばポリアミド樹脂にガラス繊維またはカーボン繊維を混入させた剛性の高い硬質の合成樹脂によって形成されている。
【００３０】
この押え部材１７は、図２、図３および図７に示すように、外装ケース１１の下端部からケース本体１０の下面に亘って配置されて、外装ケース１１の外部に露出した結合部材１２の本体部１５の下部側を覆い隠す大きさのほぼ板状に形成されている。本実施形態において、押え部材１７は、上部側の厚みが厚く、下部側に向かうに従って徐々に厚みが薄くなるように形成されている。
【００３１】
すなわち、この押え部材１７は、図２、図３および図７に示すように、上端部が外装ケース１１の下端面に当接して配置される厚みに形成され、下端部がケース本体１０の下面に取り付けられた裏蓋５の上面に当接して配置される厚みに形成されている。また、この押え部材１７は、その両側部に取付部１７ａがそれぞれ設けられている。
【００３２】
これにより、押え部材１７は、図２、図３および図７に示すように、取付部７ａが装着溝１３の両側に位置するケース本体１０の外周面に設けられた取付溝１８に嵌め込まれて、ケース本体１０の外周面に配置されるように構成されている。この場合、取付部１７ａの上部には、係合突起１７ｂが設けられている。この係合突起１７ｂは、取付部１７ａの上方に位置するケース本体１０の下面に設けられた係合穴１１ａに係合するように構成されている。
【００３３】
このため、押え部材１７は、図２、図３および図７に示すように、外装ケース１１の外部に露出した結合部材１２の本体部１５の下部側を覆い隠した状態で、両側の取付部１７ａの上部に設けられた係合突起１７ｂがケース本体１０の係合穴１１ａに差し込まれて、両側の取付部１７ａがケース本体１０の外周面に設けられた取付溝１８に嵌め込まれるように構成されている。これにより、押え部材１７は、結合部材１２の本体部１５を装着溝１３内に押え付けて、ケース本体１０の外周面に配置されるように構成されている。
【００３４】
また、この押え部材１７は、図２、図３および図７に示すように、結合部材１２の本体部１５を装着溝１３内に押え付けて、ケース本体１０の外周面に配置された状態で、ケース本体１０の下面に裏蓋５が取り付けられる際に、その裏蓋５によって押え部材１７の下端部が押し上げられる。さらに、両側の取付部１７ａの上部に設けられた係合突起１７ｂがケース本体１０の係合穴１１ａに差し込まれているため、押え部材１７はケース本体１０に押し当てられる。これにより、押え部材１７はケース本体１０の外周面に取り付けられるように構成されている。
【００３５】
次に、このような腕時計ケース１の製造方法について説明する。
この腕時計ケース１の製造方法は、図２および図３に示すように、ケース本体１０の上部側外周に外装ケース１１を被せて配置する第１の工程と、ケース本体１０に外装ケース１１を結合部材１２によって固定する第２の工程と、外装ケース１１の外部に露出した結合部材１２を押え部材１７で押え付けた状態で、押え部材１７を裏蓋５で固定する第３の工程と、を備えている。
【００３６】
本実施形態の場合、第１の工程では、図３に示すように、ケース本体１０の上部側外周に外装ケース１１を上方から被せるように配置する。このときには、外装ケース１１に設けられた一対のカバー突起部２ｂをケース本体１０に設けられた一対の取付突起部２ａに対応させて、外装ケース１１をケース本体１０の上部側外周に配置する。
【００３７】
この状態では、ケース本体１０の１２時側と６時側とにおけるバンド取付部２の一対の取付突起部２ａ間に設けられた装着溝１３のうち、装着溝１３の上部側が外装ケース１１によって覆われ、装着溝１３の下部側が外装ケース１１によって覆われることがなく外装ケース１１の下側の外部に露出する。また、このときには、外装ケース１１の内周面に設けられた嵌合凹部１４をケース本体１０の装着溝１３の上部側に対応させる。
【００３８】
第２の工程では、図３に示すように、外装ケース１１の下側外部に露出した装着溝１３の下部側から結合部材１２を装着溝１３内に挿入させ、この装着溝１３および外装ケース１１の嵌合凹部１４に挿入された結合部材１２によって外装ケース１１をケース本体１０に固定する。このときには、まず、結合部材１２のフック部１６を外装ケース１１の下側外部に露出した装着溝１３の下部側から装着溝１３内に挿入させて、フック部１６の先端部を外装ケース１１の内周面に設けられた嵌合凹部１４に対応させる。
【００３９】
この状態で、本体部１５とフック部１６との境界部に設けられた円弧面１２ａを装着溝１３の円弧面１３ａに押し当てながら装着溝１３の円弧面１３ａに沿って摺動させる。すると、本体部１５がその円弧面１２ａを支点として回転しながら装着溝１３内に向けて移動して、フック部１６を外装ケース１１の嵌合凹部１４に徐々に挿入させる。
【００４０】
そして、本体部１５がその円弧面１２ａを支点として回転しながら装着溝１３内に挿入されて配置されると、フック部１６が嵌合凹部１４に嵌合する。これにより、外装ケース１１が結合部材１２によってケース本体１０の外周に確実にかつ強固に固定される。このように、外装ケース１１の下側外部に露出した装着溝１３の下部側から結合部材１２を装着溝１３内に挿入させるだけで、外装ケース１１がケース本体１０の外周に固定されるので、組立作業が簡単でかつ容易である。
【００４１】
第３の工程では、図３に示すように、まず、外装ケース１１の下側外部に露出した結合部材１２の本体部１５を覆って押え部材１７を配置する。このときには、押え部材１７の両側に設けられた取付部１７ａの上部の係合突起１７ｂをケース本体１０の係合穴１１ａに差し込み、両側の取付部１７ａを装着溝１３の両側に位置するケース本体１０の外周面に設けられた取付溝１８に嵌め込む。これにより、外装ケース１１の下側外部に露出した結合部材１２の本体部１５が押え部材１７によって覆われて装着溝１３内に押え付けられる。
【００４２】
この状態で、ケース本体１０の下面に防水リング５ａを配置させると共に裏蓋５を配置させて、裏蓋５をビス５ｂによってケース本体１０に取り付ける。このときには、裏蓋５が押え部材１７の下端部を押し上げる。さらに、両側の取付部１７ａの上部に設けられた係合突起１７ｂがケース本体１０の係合穴１１ａに差し込まれているため、押え部材１７はケース本体１０に押し当てられる。これにより、押え部材１７は裏蓋５とケース本体１０の下端部との間に挟まれた状態でケース本体１０の外周面に取り付けられる。これにより、腕時計ケース１が簡単にかつ容易に組み立てられる。
【００４３】
本実施形態の場合、ケース本体１０の下面に裏蓋５を取り付ける際には、予め、ケース本体１０内に時計モジュール６を組み込んで、複数の押釦スイッチ３をケース本体１０の外周にそれぞれ取り付ける。この状態で、ケース本体１０の下面に裏蓋５を取り付けて、腕時計ケース１を組み立てた際には、腕時計が組み立てられる。
【００４４】
このように、この腕時計の腕時計ケース１によれば、外周面に装着溝１３が上下方向に設けられたケース本体１０と、このケース本体１０の上部側外周に装着溝１３の下部側を露出させた状態で配置され、かつ装着溝１３の上部側に対応して嵌合凹部１４が設けられた外装ケース１１と、この外装ケース１１の外部に露出した装着溝１３の下部側から装着溝１３内に挿入されて、装着溝１３および外装ケース１１の嵌合凹部１４に配置されることにより、ケース本体１０に外装ケース１１を固定する結合部材１２と、を備えているので、組立作業性を向上させることができる。
【００４５】
また、例えば、特開平０７−２４４１７０号公報に記載された腕時計ケースでは、ケース本体の外周に結合部材を取り付ける際に、ケース本体の第１係合溝に結合部材の内側突起部を係合させ、外装ケースをケース本体の上方から結合部材の外周に嵌め込んで取り付ける際に、外装ケースの第２係合溝に結合部材の外側突起部を係合させる構造であるから、ケース本体に対して外装ケースを確実にかつ強固に取り付けることができない。
【００４６】
すなわち、特開平０７−２４４１７０号公報に記載された腕腕時計ケースでは、ケース本体に対して外装ケースを確実にかつ強固に取り付けるために、ケース本体の係合溝と第１外装ケースの第２係合溝とを深く形成し、かつ結合部材の内側突起部と外側突起部とを長く突出させる必要があるが、結合部材の内側突起部と外側突起部とを長く突出させると、ケース本体の外周に結合部材を嵌め込むことができないばかりか、外装ケースをケース本体の上方から結合部材の外周に嵌め込むことができない。
【００４７】
このため、この腕時計ケースでは、結合部材の内側突起部と外側突起部との外部への突出長さをそれぞれ短くしなければならないため、ケース本体の第１係合溝に対する結合部材の内側突起部の係合と、外装ケースの第２係合溝に対する結合部材の外側突起部の係合とが浅くなり、ケース本体に対して外装ケースを強固に取り付けることができない。しかし、本実施形態はケース本体１０の上部側外周に外装ケース１１を被せた後に結合部材１２を挿入するため、結合部材１２と外装ケース１１との係合が浅くならず、ケース本体に対して外装ケースを強固に取り付けることができるようになる。
【００４８】
すなわち、この腕時計ケース１では、ケース本体１０の上部側外周に外装ケース１１を被せて配置させた際に、装着溝１３の下部側を外装ケース１１の下側外部に露出させることができると共に、外装ケース１１の嵌合凹部１４を装着溝１３の上部側に対応させることができ、これにより外装ケース１１の下側外部に露出した装着溝１３の下部側から結合部材１２を装着溝１３内に挿入させることができる。
【００４９】
このため、この腕時計ケース１では、ケース本体１０の上部側外周に外装ケース１１を配置させた状態で、結合部材１２を装着溝１３内に挿入させることができるので、組立作業性が良いだけでなく、ケース本体１０の外面と外装ケース１１の内面との間の隙間を狭くすることができる。また、装着溝１３内に挿入された結合部材１２を外装ケース１１の嵌合凹部１４に嵌合させることができるので、ねじを用いずに結合部材１２によってケース本体１０に外装ケース１１を確実にかつ強固に固定することができる。
【００５０】
本実施形態の場合、結合部材１２は、ケース本体１０の上部側外周に外装ケース１１が配置された状態で、外装ケース１１の外部に露出した装着溝１３の下部側から装着溝１３内に挿入されて配置される本体部１５と、この本体部１５が装着溝１３内に配置された際に、外装ケース１１の嵌合凹部１４に嵌合するフック部１６と、を備えていることにより、外装ケース１１の下側外部に露出した装着溝１３の下部側から結合部材１２を装着溝１３内に挿入させた際に、フック部１６を外装ケース１１の嵌合凹部１４に確実に嵌合させることができると共に、本体部１５を装着溝１３内に確実に配置させることができる。
【００５１】
すなわち、この結合部材１２は、外装ケース１１の外部に露出した装着溝１３の下部側からフック部１６が装着溝１３に挿入されて外装ケース１１の嵌合凹部１４に対応した状態で、本体部１５が装着溝１３に挿入されて配置される際に、本体部１５がフック部１６側の端部を中心に回転しながらケース本体１０の装着溝１３内に挿入されて配置されると共にフック部１６が嵌合凹部１４に嵌合されることにより、外装ケース１１の外部に露出した装着溝１３の下部側から結合部材１２を円滑にかつ良好に挿入させて、フック部１６を外装ケース１１の嵌合凹部１４に確実に嵌合させることができると共に、本体部１５を装着溝１３内に確実に配置させることができる。
【００５２】
本実施形態の場合、結合部材１２は、本体部１５とフック部１６との境界部が円弧面１２ａに形成されていることにより、結合部材１２のフック部１６を外装ケース１１の下側外部に露出した装着溝１３の下部側から装着溝１３内に挿入させて、外装ケース１１の内周面に設けられた嵌合凹部１４に対応させた状態で、本体部１５とフック部１６との境界部に設けられた円弧面１２ａを装着溝１３の円弧面１３ａに押し当てながら装着溝１３の円弧面１３ａに沿って摺動させることができる。
【００５３】
このため、この結合部材１２では、本体部１５の円弧面１２ａを支点として、本体部１５を装着溝１３内に向けて円滑に回転させながら移動させて、フック部１６を外装ケース１１の嵌合凹部１４に徐々に挿入させて嵌合させることができると共に、本体部１５を装着溝１３内に円滑に挿入させて良好に配置させることができる。
【００５４】
また、この腕時計ケース１では、ケース本体１０の装着溝１３に配置されて外装ケース１１の外部に露出した結合部材１２の本体部１５を装着溝１３内に押え付ける押え部材１７を備えていることにより、外装ケース１１の外部に露出した装着溝１３から結合部材１２が脱落するのを押え部材１７によって確実に防ぐことができると共に、押え部材１７によって外装ケース１１の外部に露出した本体部１５を覆い隠すことができるので、外観的にもデザイン的に好ましいものを提供することができる。
【００５５】
この場合、押え部材１７は、その両側に取付部１７ａがそれぞれ設けられていると共に、これら取付部１７ａの上部に係合突起１７ｂがそれぞれ設けられ、各係合突起１７ｂが装着溝１３の両側に位置するケース本体１０の下面に設けられた係合穴１１ａに差し込まれて、取付部１７ａが装着溝１３の両側に位置するケース本体１０の外周面に設けられた取付溝１８に嵌め込まれることにより、外装ケース１１の下側外部に露出した結合部材１２の本体部１５を押え部材１７によって覆って確実に装着溝１３内に押え付けることができる。
【００５６】
また、この腕時計ケース１では、ケース本体１０の下部に設けられた裏蓋５が押え部材をケース本体１０の下端部に押し付けて固定することにより、押え部材１７が外装ケース１１の下側外部に露出した結合部材１２の本体部１５を押え付けていても、この押え部材１７がケース本体１０の外周面から脱落するのを裏蓋５によって確実にかつ良好に防ぐことができる。
【００５７】
また、この腕時計ケース１の製造方法によれば、外周面に装着溝１３が上下方向に設けられたケース本体１０の上部側外周に、装着溝１３の下部側を露出させて外装ケース１１を被せて配置させる第１の工程と、外装ケース１１の外部に露出した装着溝１３の下部側から結合部材１２を装着溝１３および外装ケース１１の嵌合凹部１４に挿入させて、ケース本体１０に外装ケース１１を固定させる第２の工程と、を備えていることにより、組立作業性を向上させることができると共に、ケース本体１０に対して外装ケース１１を確実にかつ強固に取り付けることができる。
【００５８】
すなわち、この腕時計ケース１の製造方法では、第１の工程でケース本体１０の上部側外周に外装ケース１１を被せて配置させた際に、装着溝１３の下部側を外装ケース１１の下側外部に露出させて、外装ケース１１の嵌合凹部１４を装着溝１３の上部側に対応させることができるので、第２の工程で外装ケース１１の下側外部に露出した装着溝１３の下部側から結合部材１２を装着溝１３内に挿入させることができる。
【００５９】
このため、この腕時計ケース１の製造方法では、第１の工程でケース本体１０の上部側外周に外装ケース１１を被せて配置させた状態で、第２の工程で結合部材１２を装着溝１３内に挿入させることができるので、組立作業性が良いだけでなく、ケース本体１０の外面と外装ケース１１の内面との間の隙間を狭くすることができる。また、装着溝１３内に挿入された結合部材１２を外装ケース１１の嵌合凹部１４に嵌合させることができるので、ねじを用いずに結合部材１２によってケース本体１０に外装ケース１１を確実にかつ強固に固定することができる。
【００６０】
また、この腕時計ケース１の製造方法では、第２の工程で外装ケース１１の外部に露出した装着溝１３の下部側から結合部材１２のフック部１６を装着溝１３内に挿入させて外装ケース１１の嵌合凹部１４に対応させ、この状態で結合部材１２の本体部１５を装着溝１３内に向けて回転させながら、フック部１６を嵌合凹部１４内に嵌め込んで本体部１５を装着溝１３内に配置させることにより、フック部１６を外装ケース１１の嵌合凹部１４に確実に嵌合させることができると共に、本体部１５を装着溝１３内に確実に配置させることができる。
【００６１】
すなわち、この腕時計ケース１の製造方法では、外装ケース１１の外部に露出した装着溝１３の下部側から結合部材１２のフック部１６を装着溝１３に挿入させて外装ケース１１の嵌合凹部１４に対応させ、この状態で本体部１５を装着溝１３に挿入させて配置させる際に、フック部１６側の本体部１５の端部を中心に本体部１５を回転させながらケース本体１０の装着溝１３内に挿入させて配置すると共にフック部１６を嵌合凹部１４に嵌合させることにより、外装ケース１１の外部に露出した装着溝１３の下部側から結合部材１２を円滑にかつ良好に挿入させて、フック部１６を外装ケース１１の嵌合凹部１４に確実に嵌合させることができると共に、本体部１５を装着溝１３内に確実に配置させることができる。
【００６２】
さらに、この腕時計ケース１の製造方法では、ケース本体１０の装着溝１３に配置されて外装ケース１１の外部に露出する結合部材１２の本体部１５を装着溝１３内に押え部材１７によって押し付けた後、ケース本体１０の下部に裏蓋５を取り付けて押え部材１７を裏蓋５によって外装ケース１１の下端部に押し付けて固定する第３の工程を備えていることにより、押え部材１７によって外装ケース１１の外部に露出する結合部材１２の脱落を確実に防ぐことができる。
【００６３】
すなわち、この腕時計ケース１の製造方法では、第３の工程で外装ケース１１の外部に露出した結合部材１２の本体部１５を押え部材１７によって装着溝１３内に押え付けるので、外装ケース１１の外部に露出した結合部材１２が装着溝１３から脱落するのを押え部材１７によって確実に防ぐことができると共に、押え部材１７によって外装ケース１１の外部に露出した本体部１５を覆い隠すことができるので、外観的にもデザイン的に好ましいものを提供することができる。
【００６４】
また、この腕時計ケース１の製造方法では、第３の工程でケース本体１０の下部に設けられた裏蓋５が押え部材１７を外装ケース１１の下端部に押し付けて固定することにより、押え部材１７が外装ケース１１の下側外部に露出した結合部材１２の本体部１５を押え付けていても、この押え部材１７がケース本体１０の外周面から脱落するのを裏蓋５によって確実にかつ良好に防ぐことができる。
【００６５】
なお、上記の実施形態において、装着溝１３は、図２〜図４に示すように、ほぼ四角形状の凹部であるとしたが、同様の効果が達成される範囲内で、形状に変更があってもよい。また、上記の実施形態において、装着溝１３は、バンド取付部２よりも上側に位置する箇所からバンド取付部２の上下方向におけるほぼ中間部に位置する箇所に亘って設けられているものとしたが、同様の効果が達成される範囲内で、装着溝１３を設ける位置や範囲を変更してもよい。
【００６６】
さらに、上記の実施形態において、装着溝１３は、ケース本体１０の上部側外周に外装ケース１１を被せた時に、装着溝１３の上部側が外装ケース１１の下部側で覆われ、装着溝１３の下部側が外装ケース１１で覆われずに外部に露出するように形成されるとしたが、同様の効果が達成される範囲内で、装着溝１３のうち、外装ケース１１で覆われる部分と、覆われずに外部に露出する部分との割合は変更可能である。
【００６７】
なお、上記の実施形態において、結合部材１２のフック部１６が嵌合する嵌合凹部１４がそれぞれ外装ケース１１の１２時側と６時側との内周面、つまりバンド取付部２における一対のカバー突起部２ｂの間に位置する外装ケース１１の内周面に設けられているとしたが、同様の効果が達成される範囲内で装着溝１３と共に別の位置に設けてるようにしても良い。また、嵌合凹部１４と装着溝１３とを３組以上設けるようにしても良い。
【００６８】
上記の実施形態において、結合部材１２のフック部１６は、図２、図３および図６に示すように、本体部１５の上端部からケース本体１０の外部に向けてほぼ直角に折り曲げられるものとしたが、折り曲げられる角度は同様の効果が達成される範囲内で変更してもよい。
【００６９】
また、上記の実施形態において、結合部材１２の本体部１５とフック部１６との境界部における角部は、結合部材１２の円弧面１２ａと同じ曲率半径の円弧面１３ａに形成されているとしたが、同様の効果が達成される範囲内で、異なる曲率半径を適用してもよい。  
【００７０】
さらに、上記の実施形態において、結合部材１２の本体部１５とフック部１６との境界部におけるケース本体１０の外部側の角部は、傾斜面１２ｂに形成されているとしたが、これに限定されず、異なる傾斜を有する複数の面を組み合わせて傾斜面１２ｂとしても良いし、傾斜面１２ｂが湾曲していても良い。
【００７１】
上記の実施形態において、押え部材１７は、図２、図３および図７に示すように、ほぼ板状に、上部側の厚みが厚く、下部側に向かうに従って徐々に厚みが薄くなるように形成されているとしたが、同様の効果が達成される範囲内で、形状を変形しても良い。
【００７２】
また、上記の実施形態において、両側の取付部１７ａの上部に設けられた係合突起１７ｂがケース本体１０の係合穴１１ａに差し込まれるものとしたが、これに限定されない。係合穴が外装ケース１１に設けられ、押え部材１７が外装ケース１１に押し当てられるような構成にしてもよい。
【００７３】
なお、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。
【００７４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７５】
（付記）
請求項１に記載の発明は、外周面に溝部が設けられたケース本体と、前記ケース本体の上部側外周に前記溝部の下部側を露出させた状態で配置され、かつ前記溝部の上部側に対応して嵌合凹部が設けられた外装部材と、前記外装部材の外部に露出した前記溝部の下部側から前記溝部内に挿入されて、前記溝部および前記外装部材の前記嵌合凹部に配置されることにより、前記ケース本体に前記外装部材を固定する結合部材と、を備えていることを特徴とするケースである。
【００７６】
請求項２に記載の発明は、請求項１に記載のケースにおいて、前記結合部材は、前記ケース本体の上部側外周に前記外装部材が配置された状態で、前記外装部材の外部に露出した前記溝部の下部側から前記溝部内に挿入されて配置される本体部と、前記本体部が前記溝部内に配置された際に、前記外装部材の前記嵌合凹部に嵌合するフック部と、を備えていることを特徴とするケースである。
【００７７】
請求項３に記載の発明は、請求項２に記載のケースにおいて、前記結合部材は、前記外装部材の外部に露出した前記溝部の下部側から前記フック部が前記溝部に挿入されて前記外装部材の前記嵌合凹部に対応した状態で、前記本体部が前記溝部に挿入されて配置される際に、前記本体部が前記フック部側の端部を中心に回転しながら前記ケース本体の前記溝部内に挿入されて配置されると共に前記フック部が前記嵌合凹部に嵌合されることを特徴とするケースである。
【００７８】
請求項４に記載の発明は、請求項２または請求項３に記載のケースにおいて、前記結合部材は、前記本体部と前記フック部との境界部における角部が円弧面に形成されていることを特徴とするケースである。
【００７９】
請求項５に記載の発明は、請求項１〜請求項４のいずれかに記載のケースにおいて、前記ケース本体の前記溝部に配置されて前記外装部材の外部に露出した前記結合部材の前記本体部を前記溝部内に押え付ける押え部材を備えていることを特徴とするケースである。
【００８０】
請求項６に記載の発明は、請求項５に記載のケースにおいて、前記ケース本体の下部に取り付けられて前記押え部材を前記外装部材の下端部に押し付けて固定する裏蓋を備えていることを特徴とするケースである。
【００８１】
請求項７に記載の発明は、外周面に溝部が設けられたケース本体の上部側外周に、前記溝部の下部側を露出させて外装部材を被せて配置させると共に、前記外装部材の内周面に設けられた嵌合凹部を前記溝部の上部側に対応させる第１の工程と、前記外装部材の外部に露出した前記溝部の下部側から結合部材を前記溝部および前記外装部材の前記嵌合凹部に挿入させて、前記ケース本体に前記外装部材を固定させる第２の工程と、を備えていることを特徴とするケースの製造方法である。
【００８２】
請求項８に記載の発明は、請求項７に記載のケースの製造方法において、前記第２の工程では、前記外装部材の外部に露出した前記溝部の下部側から前記結合部材のフック部を前記溝部内に挿入させて前記外装部材の前記嵌合凹部に対応させ、この状態で前記結合部材の本体部を前記溝部内に向けて回転させながら、前記フック部を前記嵌合凹部内に嵌め込んで前記本体部を前記溝部内に配置させることを特徴とするケースの製造方法である。
【００８３】
請求項９に記載の発明は、請求項７または請求項８に記載のケースの製造方法において、前記ケース本体の前記溝部に配置されて前記外装部材の外部に露出する前記結合部材の前記本体部を前記溝部内に押え部材によって押し付けた後、前記ケース本体の下部に裏蓋を取り付けて前記押え部材を前記裏蓋によって前記外装部材の下端部に押し付けて固定する第３の工程を備えていることを特徴とするケースの製造方法である。
【００８４】
請求項１０に記載の発明は、請求項１〜請求項６のいずれかに記載されたケースを備えていることを特徴とする時計である。
【符号の説明】
【００８５】
１  腕時計ケース
２  バンド取付部
３  押釦スイッチ
４  時計ガラス
５  裏蓋
６  時計モジュール
１０  ケース本体
１１  外装ケース
１２  結合部材
１２ａ  円弧面
１３  装着溝
１３ａ  円弧面
１４  嵌合凹部
１５  本体部
１６  フック部
１７  押え部材
【図１】
2020159697.tif 000003
【図２】
2020159697.tif 000004
【図３】
2020159697.tif 000005
【図４】
2020159697.tif 000006
【図５】
2020159697.tif 000007
【図６】
2020159697.tif 000008
【図７】
2020159697.tif 000009